(57)【特許請求の範囲】
【請求項１】
（Ａ）成分：過酸化水素と、（Ｂ）成分：界面活性剤とを含み、
前記（Ｂ）成分が、（Ｂ１）成分：ポリオキシアルキレンアルキルエーテル硫酸又はその塩と、（Ｂ２）成分：下記一般式（ＩＩ）で表される半極性界面活性剤と、ノニオン界面活性剤と、を含み、
ｐＨが７以下であり、
前記（Ｂ）成分の含有量が、液体漂白剤組成物の総質量に対し１〜２０質量％であり、
前記ノニオン界面活性剤の含有量が、液体漂白剤組成物の総質量に対し０．１〜１８質量％であり、
（Ｂ１）成分／（Ｂ２）成分で表される質量比が、３〜５である、繊維製品用液体漂白剤組成物。
【化１】
0006681283.tif 000010
（式（ＩＩ）中、Ｒ１１は炭素数１２のアルキル基又は炭素数１２のアルケニル基であり、Ｒ１２、Ｒ１３はそれぞれ独立に炭素数１〜３のアルキル基又は炭素数１〜３のヒドロキシアルキル基である。）
【請求項２】
前記ノニオン界面活性剤が、下記一般式（ＩＩＩ）で表されるポリオキシアルキレンアルキルエーテルである、請求項１に記載の繊維製品用液体漂白剤組成物。
Ｒ１０−Ｏ−（ＡＯ）ｐ−Ｈ  ・・・（ＩＩＩ）
（式（ＩＩＩ）中、Ｒ１０は炭素数８〜１６の直鎖若しくは分岐鎖状のアルキル基又は炭素数８〜１６の直鎖若しくは分岐鎖状のアルケニル基であり；ＡＯは炭素数２〜５のアルキレンオキシ基を示し；ｐはＡＯの平均繰り返し数を示し、１〜２０である。）
【請求項３】
（Ｂ１）成分が、下記一般式（Ｉ）で表される化合物である、請求項１又は２に記載の繊維製品用液体漂白剤組成物。
Ｒ１−［（ＥＯ）ｍ／（ＰＯ）ｎ］−ＳＯ３−Ｍ＋・・・（Ｉ）
（式（Ｉ）中、Ｒ１は炭素数８〜２０の直鎖状若しくは分岐鎖状のアルキル基である。ＥＯはオキシエチレン基を表し、ＰＯはオキシプロピレン基を表す。ｍは、ＥＯの平均繰り返し数を表し、０以上の数である。ｎは、ＰＯの平均繰り返し数を表し、０〜６の数である。０＜ｍ＋ｎである。Ｍ＋は対カチオンである。）
【発明の詳細な説明】
【技術分野】
【０００１】
本発明は、液体漂白剤組成物に関する。
【背景技術】
【０００２】
液体漂白剤組成物は、衣類や食器等に付着した汚れを漂白する効果を有している。中でも、過酸化水素を含む液体漂白剤組成物は、色柄物にも使用できる手軽さから広く使用されている。液体漂白剤組成物にはさらなる汚れ洗浄力が要求されている。
【０００３】
特許文献１は、過酸化水素を含む液体漂白剤組成物に、界面活性剤とシクロデキストリンとを添加することで、さらなる洗浄力の向上を図っている。
【先行技術文献】
【特許文献】
【０００４】
【特許文献１】特開２０１１−２２５７４３号公報
【発明の概要】
【発明が解決しようとする課題】
【０００５】
しかし、特許文献１の組成物では、過酸化水素が分解されやすいという問題がある。過酸化水素が分解されるとガスが発生する。また、組成物が白濁するなどして、透明な外観が損なわれる（外観安定性が低い）。
さらに、組成物の粘度を高めた方が汚れに直接塗布しやすいため使い勝手がよく、使用性を向上できるが、特許文献１の組成物では粘度が低いため使用性に劣るという問題がある。
本発明は、上記事情に鑑みてなされたものであり、汚れに対する洗浄力を向上させ、過酸化水素の安定性を向上させ、さらに使用性を向上させた液体漂白剤組成物を提供することを課題とする。
【課題を解決するための手段】
【０００６】
本発明者は、鋭意検討した結果、過酸化水素と、特定のアニオン界面活性剤と、特定の半極性界面活性剤とを組み合わせることにより上記課題を解決できることを見出し、本発明を完成するに至った。
【０００７】
本発明の液体漂白剤組成物は、以下の態様を有する。
［１］（Ａ）成分：過酸化水素と、（Ｂ）成分：界面活性剤とを含み、
前記（Ｂ）成分が、（Ｂ１）成分：ポリオキシアルキレンアルキルエーテル硫酸又はその塩と、（Ｂ２）成分：下記一般式（ＩＩ）で表される半極性界面活性剤と、を含み、
ｐＨが７以下であり、
前記（Ｂ）成分の含有量が、液体漂白剤組成物の総質量に対し１〜２０質量％である、液体漂白剤組成物。
【化１】
0006681283.tif 000002
（式（ＩＩ）中、Ｒ１１は炭素数１２のアルキル基又は炭素数１２のアルケニル基であり、Ｒ１２、Ｒ１３はそれぞれ独立に炭素数１〜３のアルキル基又は炭素数１〜３のヒドロキシアルキル基である。）
［２］（Ｂ１）成分／（Ｂ２）成分で表される質量比が、１〜１０である、［１］に記載の液体漂白剤組成物。
【発明の効果】
【０００８】
本発明によれば、汚れに対する洗浄力を向上させ、過酸化水素の安定性を向上させ、さらに使用性を向上させた液体漂白剤組成物を提供できる。
【発明を実施するための形態】
【０００９】
本発明の液体漂白剤組成物は、以下の（Ａ）成分、及び（Ｂ）成分を含有する組成物である。
【００１０】
≪（Ａ）成分：過酸化水素≫
（Ａ）成分は過酸化水素であり、漂白効果を有する。特に、水性の汚れに対して高い漂白効果を発揮する。
液体漂白剤組成物中、（Ａ）成分の含有量は、液体漂白剤組成物の総質量に対して、０．１〜６質量％が好ましく、０．５〜５質量％がより好ましく、１．５〜４質量％がさらに好ましい。（Ａ）成分の含有量が前記範囲の下限値以上であれば、汚れに対する洗浄力が向上しやすい。前記範囲の上限値以下であれば、過酸化水素の安定性を向上しやすい。
【００１１】
≪（Ｂ）成分：界面活性剤≫
（Ｂ）成分は界面活性剤であり、（Ｂ１）成分：ポリオキシアルキレンアルキルエーテル硫酸又はその塩と、（Ｂ２）成分：一般式（ＩＩ）で表される半極性界面活性剤と、を含む。
【００１２】
＜（Ｂ１）成分：ポリオキシアルキレンアルキルエーテル硫酸又はその塩＞
（Ｂ１）成分はポリオキシアルキレンアルキルエーテル硫酸又はその塩である。具体的には下記一般式（Ｉ）で表される化合物であることが好ましい。
Ｒ１−［（ＥＯ）ｍ／（ＰＯ）ｎ］−ＳＯ３−Ｍ＋・・・（Ｉ）
（式（Ｉ）中、Ｒ１は炭素数８〜２０の直鎖状若しくは分岐鎖状のアルキル基である。ＥＯはオキシエチレン基を表し、ＰＯはオキシプロピレン基を表す。ｍは、ＥＯの平均繰り返し数を表し、０以上の数である。ｎは、ＰＯの平均繰り返し数を表し、０〜６の数である。０＜ｍ＋ｎである。Ｍ＋は対カチオンである。］
ポリオキシアルキレンアルキルエーテル硫酸塩としては、炭素数１０〜２０の直鎖若しくは分岐鎖のアルキル基を有し、平均１〜５モルのアルキレンオキシドが付加されたものが好ましい。
Ｒ１の炭素数は、１０〜２０が好ましく、１２〜１４がより好ましい。
ＥＯの平均繰り返し数は、０〜５が好ましく、０．５〜３がより好ましい。
ＰＯの平均繰り返し数は０〜３が好ましく、０がより好ましい。
Ｍ＋としては、ナトリウムイオン、カリウムイオン等のアルカリ金属イオン、マグネシウムイオン等のアルカリ土類金属イオン、モノエタノールアミン、ジエタノールアミン等のアルカノールアミンから誘導されるカチオン等が挙げられる。
（ＥＯ）ｍ／（ＰＯ）ｎにおいて、ＥＯとＰＯはランダム付加であってもよくブロック付加であってもよい。
（Ｂ１）成分としては、市販品を用いてもよいし、公知の合成方法で製造してもよい。公知の製造方法としては、ポリオキシアルキレンアルキルエーテルに、無水硫酸を反応させるか、クロルスルホン酸を反応させる方法が挙げられる。
（Ｂ１）成分は、１種であってもよく２種以上であってもよい。
【００１３】
液体漂白剤組成物中、（Ｂ１）成分の含有量は、液体漂白剤組成物の総質量に対して、０．１〜１８質量％が好ましく、１〜１０質量％がより好ましく、２〜５質量％がさらに好ましい。（Ｂ１）成分の含有量が前記範囲の下限値以上であれば、汚れに対する洗浄力を向上しやすく、粘度を高められることにより使用性を向上しやすくなる。前記範囲の上限値以下であれば、低温外観安定性を向上しやすくなり、粘度を高められることにより使用性を向上しやすくなる。
【００１４】
（Ｂ１）成分／（Ａ）成分で表される質量比（以下、Ｂ１／Ａ比ともいう）は、０．１〜２０が好ましく、０．２〜５がより好ましく、０．３〜２がさらに好ましい。
Ｂ１／Ａ比が前記範囲の上記下限値以上であれば、過酸化水素の安定性を向上しやすく、汚れに対する洗浄力を向上しやすい。前記範囲の上限値以下であれば、汚れに対する洗浄力を向上しやすい。
【００１５】
＜（Ｂ２）成分：一般式（ＩＩ）で表される半極性界面活性剤＞
（Ｂ２）成分は下記一般式（ＩＩ）で表される半極性界面活性剤である。
【００１６】
【化２】
0006681283.tif 000003
【００１７】
（式（ＩＩ）中、Ｒ１１は炭素数１２のアルキル基又は炭素数１２のアルケニル基であり、Ｒ１２、Ｒ１３はそれぞれ独立に炭素数１〜３のアルキル基又は炭素数１〜３のヒドロキシアルキル基である。）
【００１８】
本明細書において、「半極性界面活性剤」とは、半極性結合（無極性結合及び極性結合の中間の性質を有する結合）を有する界面活性剤のことであり、半極性界面活性剤が溶解する溶液又は分散する分散系のｐＨにより、陽イオン性、陰イオン性、又は両極性となるものをいう。
【００１９】
式（ＩＩ）中、Ｒ１１は炭素数１２のアルキル基又は炭素数１２のアルケニル基である。炭素数１２のアルキル基、及び炭素数１２のアルケニル基は、直鎖状であってもよく、分岐鎖状であってもよい。
【００２０】
Ｒ１２、Ｒ１３はそれぞれ独立に炭素数１〜３のアルキル基又は炭素数１〜３のヒドロキシアルキル基である。
炭素数１〜３のアルキル基、及び炭素数１〜３のヒドロキシアルキル基は、直鎖状であってもよく、分岐鎖状であってもよい。
炭素数１〜３のアルキル基としては、メチル基、エチル基、プロピル基が挙げられる。
炭素数１〜３のヒドロキシアルキル基としては、ヒドロキシエチル基、ヒドロキシプロピル基が挙げられる。
（Ｂ２）成分は、１種であってもよく２種以上であってもよい。
【００２１】
液体漂白剤組成物中、（Ｂ２）成分の含有量は、液体漂白剤組成物の総質量に対して、０．１〜８質量％が好ましく、０．３〜３質量％がより好ましく、０．５〜２質量％がさらに好ましい。（Ｂ２）成分の含有量が前記範囲の下限値以上であれば、粘度を高められることにより使用性を向上しやすい。前記範囲の上限値以下であれば、外観安定性を向上しやすい。
【００２２】
（Ｂ２）成分／（Ａ）成分で表される質量比（以下、Ｂ２／Ａ比ともいう）は、０．０５〜１０が好ましく、０．１〜８がより好ましく、０．２〜３がさらに好ましい。
Ｂ２／Ａ比が前記範囲の上記下限値以上であれば、粘度を高められるために使用性を向上しやすい。前記範囲の上限値以下であれば、汚れに対する洗浄力を向上しやすい。
【００２３】
（Ｂ１）成分／（Ｂ２）成分で表される質量比（以下、Ｂ１／Ｂ２比ともいう）は、１〜１０が好ましく、２〜８がさらに好ましく、３〜５がより好ましい。
Ｂ１／Ｂ２比が前記範囲の上記下限値以上であれば、汚れに対する洗浄力を向上しやすく、液の外観安定性を向上しやすくなる。前記範囲の上限値以下であれば、粘度を高められることにより使用性を向上しやすくなる。
【００２４】
（Ｂ１）成分及び（Ｂ２）成分以外の界面活性剤としては、（Ｂ１）成分以外のアニオン界面活性剤、ノニオン界面活性剤、カチオン界面活性剤、両性界面活性剤、（Ｂ２）成分以外の半極性界面活性剤等が挙げられる。
【００２５】
（Ｂ１）成分以外のアニオン界面活性剤としては、例えば直鎖アルキルベンゼンスルホン酸又はその塩、α−オレフィンスルホン酸塩、直鎖又は分岐鎖のアルキル硫酸エステル塩、アルキル基を有するアルカンスルホン酸塩、α−スルホ脂肪酸エステル塩等が挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩等が挙げられる。
【００２６】
直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、アルキル基の炭素数が１０〜２０のものが好ましい。
アルカンスルホン酸塩としては、アルキル基の炭素数が１０〜２０のものが好ましく、１４〜１７のものがより好ましい。中でも、前記アルキル基が２級アルキル基であるもの（すなわち２級アルカンスルホン酸塩）が特に好ましい。
α−スルホ脂肪酸エステル塩としては、脂肪酸残基の炭素数が１０〜２０のものが好ましい。
【００２７】
これらの中でも、洗浄力と安定性に優れる点で、直鎖アルキルベンゼンスルホン酸又はその塩、アルカンスルホン酸塩、及びα−オレフィンスルホン酸塩が好ましく、直鎖アルキルベンゼンスルホン酸又はその塩、及びアルカンスルホン酸塩がより好ましく、直鎖アルキルベンゼンスルホン酸ナトリウム（ＬＡＳ）、炭素数１４〜１７の２級アルカンスルホン酸ナトリウム（ＳＡＳ）が特に好ましい。
【００２８】
ノニオン界面活性剤としては、ポリオキシエチレンアルキルエーテル（ＡＥ）、ポリオキシエチレンポリオキシプロピレンアルキルエーテル（ＥＯＰＯ型ノニオン）等のポリオキシアルキレンアルキルエーテル、アルキル（ポリ）グリコシド、ソルビタン脂肪酸エステル、ポリオキシエチレンソルビタン脂肪酸エステル、ポリオキシエチレン脂肪酸エステル、ポリオキシエチレン脂肪酸エステルオキシエチレンプロピレンブロック重合体、脂肪酸モノグリセライド等が挙げられる。
上記の中でも、過酸化水素等の漂白成分を含有する液体漂白剤組成物中での安定性、液体漂白剤組成物の溶存気体量のコントロールのしやすさ等の点から、ポリオキシアルキレンアルキルエーテルが好ましく、下記一般式（ＩＩＩ）で表されるポリオキシアルキレンアルキルエーテルが特に好ましい。
【００２９】
Ｒ１０−Ｏ−（ＡＯ）ｐ−Ｈ  ・・・（ＩＩＩ）
（式（ＩＩＩ）中、Ｒ１０は炭素数８〜１６の直鎖若しくは分岐鎖状のアルキル基又は炭素数８〜１６の直鎖若しくは分岐鎖状のアルケニル基であり；ＡＯは炭素数２〜５のアルキレンオキシ基を示し；ｐはＡＯの平均繰り返し数を示し、１〜２０、好ましくは３〜１５である。）
【００３０】
前記式（ＩＩＩ）中のＲ１０の炭素数は、アルキル基、アルケニル基のいずれの場合であっても８〜１６であり、１０〜１４が好ましく、１２〜１４がより好ましい。炭素数が８以上であることにより洗浄力が良好となり、炭素数が１６以下であることにより溶解性が向上する。
Ｒ１０は、アルキル基が好ましく、具体的にはヘプチル基、オクチル基、ノニル基、デシル基、ウンデシル基、ドデシル基、トリデシル基、テトラデシル基、ペンタデシル基、ヘキサデシル基が好ましく挙げられ、ドデシル基、テトラデシル基が特に好ましい。
ＡＯとしては、オキシエチレン基、オキシプロピレン基、オキシブチレン基、オキシペンチレン基等が挙げられる。なかでも、オキシエチレン基、オキシプロピレン基が好ましく、オキシエチレン基が好ましい。ＡＯは、１種単独で付加されていてもよく、２種以上が付加されていてもよい。
ｐは、前記ＡＯの種類にもよるが、たとえばＡＯがオキシエチレン基および／又はオキシプロピレン基の場合、３〜１５とすることが好ましい。
ＡＯがオキシエチレン基および／又はオキシプロピレン基の場合、これらはランダム付加であってもよくブロック付加であってもよい。
【００３１】
液体漂白剤組成物中、ノニオン界面活性剤の含有量は、液体漂白剤組成物の総質量に対して、０．１〜１８質量％が好ましく、０．５〜１２質量％がより好ましく、１〜１０質量％がさらに好ましい。ノニオン界面活性剤の含有量が前記範囲の下限値以上であれば、汚れに対する洗浄力を向上しやすい。前記範囲の上限値以下であれば、液の外観安定性を向上しやすい。
【００３２】
（Ｂ２）成分以外の半極性界面活性剤としては、下記一般式（ＩＶ）で表されるトリアルキルアミンオキシド等が挙げられる。
Ｒ３１Ｒ３２Ｒ３３Ｎ→Ｏ  ・・・（ＩＶ）
（式（ＩＶ）中、Ｒ３１は炭素数８〜１１の直鎖状若しくは分岐鎖状のアルキル基、１３〜１８の直鎖状若しくは分岐鎖状のアルキル基、炭素数８〜１１の直鎖状若しくは分岐鎖状のアルケニル基、又は炭素数１３〜１８の直鎖状若しくは分岐鎖状のアルケニル基であり、Ｒ３２、Ｒ３３はそれぞれ独立に直鎖状若しくは分岐鎖状の炭素数１〜３のアルキル基又は炭素数１〜３の直鎖状若しくは分岐鎖状のヒドロキシアルキル基である。）
【００３３】
液体漂白剤組成物中、（Ｂ）成分の含有量は、液体漂白剤組成物の総質量に対して、１〜２０質量％であり、２〜１８質量％が好ましく、６〜１５質量％がより好ましい。
（Ｂ）成分の含有量が前記範囲の下限値以上であれば、汚れに対する洗浄力を向上しやすく、粘度を高められることにより使用性を向上しやすくなる。前記範囲の上限値以下であれば、本発明の効果が得られやすい。
【００３４】
＜任意成分＞
本発明の液体漂白剤組成物は、上記（Ａ）及び（Ｂ）成分以外に、液体漂白剤組成物に通常用いられる任意成分を含有してもよい。
任意成分としては、例えばポリマー、ｐＨ調整剤、キレート剤、ラジカルトラップ剤、有機溶剤、緩衝剤、香料、溶媒、ハイドロトロープ剤、漂白活性化剤が挙げられる。
【００３５】
ポリマーは、特に限定されず、繊維製品用の洗浄剤に通常用いられているポリマーが挙げられる。一例としては、アルキレンテレフタレート単位及びアルキレンイソフタレート単位からなる群より選択される少なくとも一種の繰り返し単位（ｃ１）並びにオキシアルキレン単位（ｃ２）を有するポリマーである。
なお、本明細書において「繰り返し単位」とは、重合体を構成するモノマー単位をいう。
【００３６】
・特定の繰り返し単位（ｃ１）について
特定の繰り返し単位（ｃ１）のうち、アルキレンテレフタレート単位（以下、この繰り返し単位を「繰り返し単位（ｃ１１）」ともいう）としては、下記一般式（ｃ１−１）で表される繰り返し単位が挙げられる。
【００３７】
【化３】
0006681283.tif 000004
【００３８】
前記式（ｃ１−１）中、Ｒ２１は、低級アルキレン基である。Ｒ２１における低級アルキレン基の炭素数は、１〜５が好ましく、より好ましくは１〜４であり、さらに好ましくは２〜４である。
繰り返し単位（ｃ１１）として具体的には、エチレンテレフタレート単位、プロピレンテレフタレート単位、ｎ−ブチレンテレフタレート単位、イソブチレンテレフタレート単位、ｓｅｃ−ブチレンテレフタレート単位、ｔｅｒｔ−ブチレンテレフタレート単位等が挙げられる。中でも、プロピレンテレフタレート単位が好ましい。
繰り返し単位（ｃ１１）は、１種が単独で用いられてもよく、２種以上が組み合わされて用いられてもよい。
【００３９】
特定の繰り返し単位（ｃ１）のうち、アルキレンイソフタレート単位（以下、この繰り返し単位を「繰り返し単位（ｃ１２）」ともいう）としては、下記一般式（ｃ１−２）で表される繰り返し単位が挙げられる。
【００４０】
【化４】
0006681283.tif 000005
【００４１】
前記式（ｃ１−２）中、Ｒ２２は、低級アルキレン基である。Ｒ２２における低級アルキレン基の炭素数は、１〜５が好ましく、より好ましくは１〜４であり、さらに好ましくは２〜４である。
繰り返し単位（ｃ１２）として具体的には、エチレンイソフタレート単位、プロピレンイソフタレート単位、ｎ−ブチレンイソフタレート単位、ｓｅｃ−ブチレンイソフタレート単位、ｔｅｒｔ−ブチレンイソフタレート単位等が挙げられる。中でも、プロピレンイソフタレート単位が好ましい。
繰り返し単位（ｃ１２）は、１種が単独で用いられてもよく、２種以上が組み合わされて用いられてもよい。
【００４２】
ポリマーは、繰り返し単位（ｃ１）を１種のみ有してもよいし、２種以上有してもよい。すなわち、ポリマーは、その１分子中に、繰り返し単位（ｃ１）として、繰り返し単位（ｃ１１）のみを有していてもよく、繰り返し単位（ｃ１２）のみを有していてもよく、繰り返し単位（ｃ１１）と繰り返し単位（ｃ１２）との両方を有していてもよい。また、繰り返し単位（ｃ１１）を２種以上、及び／又は、繰り返し単位（ｃ１２）を２種以上有していてもよい。
繰り返し単位（ｃ１）は、１分子中に、１単位で導入されてもよいし、２単位以上（即ちブロック状）で導入されてもよい。
【００４３】
ポリマーにおける１分子が有する繰り返し単位（ｃ１）の繰り返し数は、１〜１０が好ましく、より好ましくは１〜６であり、さらに好ましくは２〜４である。
繰り返し単位（ｃ１）の数が、前記の好ましい下限値以上であると、洗濯後の繊維製品に対する消臭効果が高められやすくなる。前記の好ましい上限値以下であると、液体洗浄剤とした際の外観安定性が高められやすくなる。
【００４４】
・オキシアルキレン単位（ｃ２）について
オキシアルキレン単位（以下、この繰り返し単位を「繰り返し単位（ｃ２）」ともいう）としては、下記一般式（ｃ２−１）で表される繰り返し単位が挙げられる。
【００４５】
【化５】
0006681283.tif 000006
【００４６】
前記式（ｃ２−１）中、Ｒ２３は、低級アルキレン基である。Ｒ２３における低級アルキレン基の炭素数は、１〜４が好ましく、より好ましくは２〜４であり、さらに好ましくは２又は３であり、特に好ましくは２である。
繰り返し単位（ｃ２）としては、オキシエチレン単位、オキシプロピレン単位、オキシブチレン単位等が挙げられる。中でも、オキシエチレン単位、オキシプロピレン単位が好ましく、オキシエチレン単位がより好ましい。
【００４７】
ポリマーは、繰り返し単位（ｃ２）を、１種のみ有してもよいし、２種以上有してもよい。すなわち、ポリマーは、その１分子中に、繰り返し単位（ｃ２）として、例えば、オキシエチレン単位のみを有していてもよく、オキシプロピレン単位のみを有していてもよく、オキシエチレン単位とオキシプロピレン単位との両方を有していてもよい。中でも、オキシエチレン単位のみを有していることが好ましい。
また、ポリマーは、その１分子中に、繰り返し単位（ｃ２）として、オキシアルキレン基（繰り返し単位（ｃ２）の繰り返し数が１のもの）を有していてもよく、ポリオキシアルキレン基（繰り返し単位（ｃ２）の繰り返し数が２以上のもの）を有していてもよく、オキシアルキレン基とポリオキシアルキレン基との両方を有していてもよい。
【００４８】
ポリマーにおける１分子が有する繰り返し単位（ｃ２）の繰り返し数は、１以上であり、好ましくは５〜１５０であり、より好ましくは１０〜１００である。
繰り返し単位（ｃ２）の繰り返し数が、前記の好ましい下限値以上であると、液体洗浄剤とした際の外観安定性がより高められやすくなる。前記の好ましい上限値以下であると、洗浄後の被洗物に対する消臭効果が高められやすくなる。
【００４９】
ポリマーは、繰り返し単位（ｃ１）と繰り返し単位（ｃ２）とがブロック状に重合しているポリマーでもよく、ランダム状に重合しているポリマーでもよい。これらの中でもポリマーとしてはブロック状に重合しているポリマーが好ましい。
【００５０】
ポリマーは、繰り返し単位（ｃ１）及び繰り返し単位（ｃ２）に加えて、その他の繰り返し単位を有していてもよい。その他の繰り返し単位としては、重合開始剤や重合停止剤等に由来する繰り返し単位、繰り返し単位（ｃ１）又は繰り返し単位（ｃ２）を提供するモノマーと共重合可能なモノマーに由来する繰り返し単位等が挙げられる。
ポリマー中にその他の繰り返し単位を有する場合、繰り返し単位（ｃ１）と繰り返し単位（ｃ２）との合計は、ポリマーを構成する全部の繰り返し単位の合計に対して、８０モル％以上であることが好ましく、９０モル％以上であることがより好ましく、１００モル％であってもよい。繰り返し単位（ｃ１）と繰り返し単位（ｃ２）との合計が、前記の好ましい下限値以上であると、洗浄後の被洗物に対する消臭効果が高められやすくなる。
【００５１】
ポリマーは、それ自体の溶解性と液体洗浄剤の液安定性の点から、水溶性ポリマーであることが好ましい。
ここでいう「水溶性ポリマー」とは、１リットルビーカー内で、ポリマー１０ｇを、４０℃の条件で、水１０００ｇに添加し、スターラー（太さ８ｍｍ、長さ５０ｍｍ）により１２時間撹拌（２００ｒｐｍ）した後に溶解しているものをいう。
【００５２】
ポリマーの重量平均分子量は、水への溶解分散性が高まることから、好ましい下限値が５００以上であり、より好ましくは８００以上であり、さらに好ましくは１０００以上である。一方、好ましい上限値が１００００以下であり、より好ましくは８０００以下であり、さらに好ましくは７０００以下である。ポリマーの重量平均分子量が、前記の好ましい下限値以上であれば、洗浄後の被洗物に対する消臭効果が高められやすくなる。ポリマーの重量平均分子量が、前記の好ましい上限値以下であれば、ポリマーの水への溶解分散性がより向上しやすくなり、液体洗浄剤に配合した際の外観安定性が高められやすくなる。
ここでいう「重量平均分子量」は、溶媒としてＴＨＦ（テトラヒドロフラン）を用いてＧＰＣ（ゲルパーミネーションクロマトグラフィー）により測定した値を、ＰＥＧ（ポリエチレングリコール）における較正曲線に基づいて換算した値を示す。
【００５３】
ポリマーは、各種の文献、教科書及び特許文献等に開示されている合成方法、例えば、Ｊｏｕｒｎａｌ  ｏｆ  Ｐｏｌｙｍｅｒ  Ｓｃｉｅｎｃｅ，第３巻，６０９〜６３０ページ（１９４８年）；Ｊｏｕｒｎａｌ  ｏｆ  Ｐｏｌｙｍｅｒ  Ｓｃｉｅｎｃｅ，第８巻，１〜２２ページ（１９５１年）；特開昭６１−２１８６９９号公報に記載の方法等により製造することができる。
【００５４】
ポリマーの好適な具体例としては、下記の一般式（Ｃ１）で表される高分子化合物、一般式（Ｃ２）で表される高分子化合物、又はこれらの混合物を含むものが挙げられる。
【００５５】
【化６】
0006681283.tif 000007
【００５６】
前記式（Ｃ１）、（Ｃ２）中、Ｒ２０及びＲ３０は、それぞれ独立して、水素原子又はメチル基であり、それぞれメチル基であることが好ましく、いずれもメチル基であることがより好ましい。
Ｒ２４及びＲ２７は、それぞれメチル基又は水素原子であり、それぞれメチル基であることが好ましい。
Ｒ２５、Ｒ２６、Ｒ２８及びＲ２９は、それぞれ独立して、炭素数２〜４のアルキレン基である。
ｓ１及びｓ２は、それぞれ０〜１０であり、好ましくは０．５〜５であり、より好ましくは０．５〜２．５である。ｔ１、ｔ２、ｕ１及びｕ２は、それぞれ独立して１〜１００であり、好ましくは１〜８０であり、より好ましくは１〜５０である。ｓ１、ｓ２、ｔ１、ｔ２、ｕ１及びｕ２が前記の好ましい範囲であると、ポリマーの配合効果が充分に発揮されやすくなる。また、水に対する溶解性がより向上し、透明感の高い液体洗浄剤が得られやすくなる。
【００５７】
ポリマーは、１種が単独で用いられてもよく、２種以上が組み合わされて用いられてもよい。
また、ポリマーとしては、合成品が用いられてもよく、市販品が用いられてもよい。
ポリマーの市販品としては、商品名ＴｅｘＣａｒｅ  ＳＲＮ−１００（ドイツ、Ｃｌａｒｉａｎｔ Ｇｍｂ Ｈ製、重量平均分子量３０００）、商品名ＴｅｘＣａｒｅ  ＳＲＮ−３００（ドイツ、Ｃｌａｒｉａｎｔ Ｇｍｂ Ｈ製、重量平均分子量７０００）等が挙げられる。
これらの中では、水への溶解性が高く、透明感の高い液体洗浄剤が得られやすいことから、ＴｅｘＣａｒｅ  ＳＲＮ−１００が好ましい。
【００５８】
ポリマーの含有量は、液体漂白剤組成物の総質量に対して０．０５〜３質量％が好ましく、０．１〜２質量％がより好ましく、０．２〜１質量％がさらに好ましい。
【００５９】
ｐＨ調整剤としては、例えば、水酸化ナトリウム、塩酸、硫酸、水酸化ナトリウム、水酸化カリウム、モノエタノールアミン、ジエタノールアミン、トリエタノールアミン、アンモニア等が挙げられる。
本発明の液体漂白剤組成物のｐＨは７以下であり、２〜７が好ましく、３〜６がより好ましい。ｐＨが前記範囲の下限値以上であれば、液の外観安定性を向上しやすい。前記範囲の上限値以下であれば、過酸化水素の安定性を向上しやすく、粘度を高められることにより使用性を向上しやすい。
なお、液体漂白剤組成物（２５℃に調温）のｐＨは、ｐＨメーター（東亜ディーケーケー株式会社製、「ＨＭ−３０Ｇ」）等により測定される値を示す。
【００６０】
キレート剤としては、例えば１−ヒドロキシエタン−１，１−ジホスホン酸等のホスホン酸系キレート剤が挙げられる。液体漂白剤組成物中、キレート剤の含有量は、液体漂白剤組成物の総質量に対して、０．１〜２質量％が好ましい。
ラジカルトラップ剤としては、例えばｐ−メトキシフェノール、ジブチルヒドロキシトルエン等が挙げられる。液体漂白剤組成物中、ラジカルトラップ剤の含有量は、液体漂白剤組成物の総質量に対して、０．０１〜１質量％が好ましい。
有機溶剤としては、例えば芳香族化合物が挙げられ、例えばフェニルジグリコールが挙げられる。液体漂白剤組成物中、有機溶剤の含有量は、液体漂白剤組成物の総質量に対して、０．１〜３質量％が好ましい。
緩衝剤としては、例えばクエン酸が挙げられる。液体漂白剤組成物中、緩衝剤の含有量は、液体漂白剤組成物の総質量に対して、０．０１〜２質量％が好ましい。
香料としては、香料原料単体、又は、香料原料と香料用溶剤と香料安定化剤等とからなる香料組成物を含むものであり、衣料用などの液体洗浄剤、液体漂白洗浄剤、液体漂白剤等に通常用いられる香料を配合することができる。液体漂白剤組成物中、香料の含有量は、液体漂白剤組成物の総質量に対して、０．０１〜１質量％が好ましい。
溶媒としては、水を用いることが好ましい。液体漂白剤組成物中、水の含有量は、液体漂白剤組成物の総質量に対して、４０〜９５質量％が好ましい。
ハイドロトロープ剤としては、例えば炭素数２〜４のアルコール類、グリコール類、ポリグリコール類、アルキルエーテル類などの水混和性有機溶剤；トルエンスルホン酸、キシレンスルホン酸、安息香酸塩、尿素などが挙げられる。液体漂白剤組成物中、ハイドロトロープ剤の含有量は、液体漂白剤組成物の総質量に対して、０．０１〜１５質量％が好ましい。
漂白活性化剤は、それ自体は漂白効果を持たないが、液体漂白剤組成物中で過酸化水素と反応して酸化力の高い有機過酸に変わる物質である。
漂白活性化剤としては、公知の化合物を用いることができる。例えば、テトラアセチルエチレンジアミン；炭素数１〜１８、好ましくは炭素数８〜１２のアルカノイル基を有するアルカノイルオキシベンゼンスルホン酸又はその塩；炭素数１〜１８、好ましくは炭素数８〜１２のアルカノイル基を有するアルカノイルオキシ安息香酸又はその塩が挙げられる。このうち、４−デカノイルオキシ安息香酸（ＤＯＢＡ）、４−ドデカノイルオキシベンゼンスルホン酸ナトリウム（ＤＯＢＳ）、４−ノナノイルオキシベンゼンスルホン酸ナトリウム（ＮＯＢＳ）が好ましい。
これら漂白活性化剤は１種単独で用いてもよく、２種以上を併用してもよい。
漂白活性化剤の含有量は、液体漂白剤組成物の総質量に対して、０．１〜２質量％が好ましく、０．２〜１．５質量％がより好ましく、０．４〜１質量％がさらに好ましい。漂白活性化剤の含有量が上記下限値以上であると、液体漂白剤組成物における黄ばみに対する漂白力が高まり、上記上限値以下であると、過酸化水素の安定性の向上が図れる。
液体漂白剤組成物に含まれる各成分の含有量の合計は、１００質量％を超えない。
【００６１】
≪液体漂白剤組成物の製造方法≫
本発明の液体漂白剤組成物は特に制限されず、従来公知の製造方法によって製造される。
例えば、（Ａ）成分と、（Ｂ）成分と、必要に応じて任意成分とを、溶媒（例えばイオン交換水等の水）に混合して溶解し、所定のｐＨになるように調整することにより、製造することができる。
【００６２】
≪液体漂白剤組成物の使用方法≫
本発明の液体漂白剤組成物の使用方法は、例えば、液体漂白剤組成物を単独で又は公知の洗浄剤や柔軟剤と共に水に入れて洗浄液とし、この洗浄液に被洗物を入れ、洗濯機で洗浄する方法；液体漂白剤組成物を予め水に溶解し、これに被洗濯物を浸漬し、その後洗濯機で洗浄する方法等が挙げられる。また、液体漂白剤組成物を被洗濯物に塗布後、適宜放置し、その後、通常の洗濯を行ってもよい。
被洗物としては、例えば、衣料、布帛、シーツ、カーテン、絨毯等の繊維製品が挙げられる。
洗浄液中の液体漂白剤組成物の含有量は、特に限定されない。水に対する液体漂白剤組成物の添加量は、例えば、水１０Ｌ当たり、液体漂白剤組成物３〜１５ｍＬとされる。
【００６３】
本発明の液体漂白剤組成物は、（Ａ）成分：過酸化水素と、（Ｂ）成分：界面活性剤とを含み、前記（Ｂ）成分が、（Ｂ１）成分：ポリオキシアルキレンアルキルエーテル硫酸又はその塩と、（Ｂ２）成分：一般式（ＩＩ）で表される半極性界面活性剤と、一般式（ＩＶ）で表されるトリアルキルアミンオキシドとを含み、ｐＨが７以下であり、前記（Ｂ）成分の含有量が、液体漂白剤組成物の総質量に対し１〜２０質量％が好ましい。
【００６４】
本発明の液体漂白剤組成物は、（Ａ）成分：過酸化水素と、（Ｂ）成分：界面活性剤とを含み、前記（Ｂ）成分が、（Ｂ１）成分：ポリオキシアルキレンアルキルエーテル硫酸又はその塩と、（Ｂ２）成分：一般式（ＩＩ）で表される半極性界面活性剤と、ノニオン界面活性剤とを含み、ｐＨが７以下であり、前記（Ｂ）成分の含有量が、液体漂白剤組成物の総質量に対し１〜２０質量％が好ましい。
【実施例】
【００６５】
以下に実施例を用いて本発明をさらに詳しく説明するが、本発明はこれら実施例に限定されるものではない。
【００６６】
≪実施例１〜９、比較例１〜５≫
＜液体漂白剤組成物の調製＞
表１及び２に示す配合組成に従い、後述の製造方法（未配合の成分がある場合、その成分は配合しない。）により、各例の組成物をそれぞれ調製した。
表１及び２に示す組成に従い各成分を混合し、ｐＨ調整剤を加えてｐＨを調製して各組成物を得た。
表中の配合量の単位は「質量％」であり、いずれの成分も純分換算量を示す。
表中の空欄はその成分が配合されていないことを示す。
「バランス」は、各例の組成物に含まれる全配合成分の合計の配合量（質量％）が１００質量％となるように水が配合されていることを意味する。
以下に、表中に示した成分について説明する。なお、実施例５、８及び９は参考例である。
【００６７】
＜（Ａ）成分＞
・ａ−１：過酸化水素（三菱ガス化学株式会社製）。
【００６８】
＜（Ｂ１）成分＞
・ｂ１−１：ポリオキシアルキレンアルキルエーテル硫酸ナトリウム塩（式（Ｉ）中、Ｒ１＝炭素数１２のアルキル基、ｍ＝２、ｎ＝０、Ｍ＋＝ナトリウムイオン）。（花王株式会社製「エマール  ２７０Ｊ」）
・ｂ１−２：ポリオキシアルキレンアルキルエーテル硫酸ナトリウム塩（式（Ｉ）中、Ｒ１＝炭素数１２および１４のアルキル基、ｍ＝１、ｎ＝０、Ｍ＋＝ナトリウムイオン）。（ｂ１−２の製造方法）
容量４Ｌのオートクレーブ中に、原料アルコールとしてＰ＆Ｇ社製の商品名ＣＯ１２７０アルコール（炭素数１２のアルコールと炭素数１４のアルコールとの質量比７５／２５の混合物）４００ｇと、反応用触媒として水酸化カリウム触媒０．８ｇとを仕込み、該オートクレーブ内を窒素で置換した後、攪拌しながら昇温した。続いて、温度を１８０℃、圧力を０．３ＭＰａ以下に維持しながらエチレンオキシド９１ｇを導入し、反応させることによりアルコールエトキシレートを得た。
ガスクロマトグラフ質量分析計：Ｈｅｗｌｅｔｔ−Ｐａｃｋａｒｄ社製のＧＣ−５８９０と、検出器：水素炎イオン化型検出器（ＦＩＤ）と、カラム：Ｕｌｔｒａ−１（ＨＰ社製、Ｌ２５ｍ×φ０．２ｍｍ×Ｔ０．１１μｍ）とを用いて分析した結果、得られたアルコールエトキシレートは、エチレンオキシドの平均付加モル数が１．０であった。また、エチレンオキシドが付加していない化合物（最終的に一般式（Ｉ）においてｍ＝０、ｎ＝０の化合物となるもの）の量が、得られたアルコールエトキシレート全体に対して４３質量％であった。
次に、上記で得たアルコールエトキシレート２３７ｇを、攪拌装置付の５００ｍＬフラスコに採り、窒素で置換した後、液体無水硫酸（サルファン）９６ｇを、反応温度４０℃に保ちながらゆっくりと滴下した。滴下終了後、１時間攪拌を続け（硫酸化反応）、ポリオキシエチレンアルキルエーテル硫酸を得た。次いで、これを水酸化ナトリウム水溶液で中和することによりｂ１−２を得た。
・ｂ１’−１：２級アルカンスルホン酸ナトリウム、クラリアントジャパン株式会社製、商品名「ＳＡＳ３０」。
【００６９】
＜（Ｂ２）成分＞
・ｂ２−１：式（ＩＩ）で表される半極性界面活性剤（式（ＩＩ）中、Ｒ１１＝ドデシル基、Ｒ１２＝メチル基、Ｒ１３＝メチル基）。ドデシルジメチルアミンオキサイド、ライオン・スペシャリティケミカルズ株式会社製、商品名「カデナックスＤＭ１２Ｄ−Ｗ」。
・ｂ２’−１：式（ＩＶ）で表される半極性界面活性剤（式（ＩＶ）中、Ｒ３１＝テトラデシル基、Ｒ３２＝メチル基、Ｒ３３＝メチル基）。テトラデシルジメチルアミンオキサイド、ライオン・スペシャリティケミカルズ株式会社製、商品名「カデナックスＤＭ１４Ｄ−Ｎ」。
【００７０】
＜その他の（Ｂ）成分＞
・ポリオキシエチレンアルキルエーテル：炭素数１２のアルコール（Ｃ１２ＯＨ）と炭素数１４のアルコール（Ｃ１４ＯＨ）との混合物（質量比Ｃ１２ＯＨ／Ｃ１４ＯＨ＝７５／２５）に、平均６モルのエチレンオキシドが付加されたもの、ライオン株式会社製、商品名「レオックスＣＬ−６０」。
【００７１】
［任意成分］
・フェニルジグリコール：ジエチレングリコールモノフェニルエーテル、日本乳化剤株式会社製、商品名「ＰｈＤＧ（９０）」。
・緩衝剤：クエン酸、関東化学株式会社製、試薬「クエン酸」。
・ｐＨ調整剤：硫酸（東邦亜鉛株式会社製）、水酸化ナトリウム（鶴見曹達株式会社製）。
［共通成分］
キレート剤：１−ヒドロキシエタン−１，１−ジホスホン酸（ＨＥＤＰ）、ローディア社製、商品名「ＢＲＩＱＵＥＳＴ  ＡＤＰＡ」・・・０．７５質量％。
ラジカルトラップ剤：ｐ−メトキシフェノール、川口化学工業社製、商品名「ＭＱ−Ｆ」・・・０．１質量％。
・ポリマー：特定の繰り返し単位（ｃ１）とオキシアルキレン単位（ｃ２）とを有するポリマー。ドイツ、Ｃｌａｒｉａｎｔ Ｇｍｂ Ｈ製、商品名「ＴｅｘＣａｒｅ  ＳＲＮ−１００」、重量平均分子量３０００、ｐＨ４（２０℃で測定、５質量％水溶液）、粘度３４０ｍＰａ・ｓ（５０℃で測定）、上記一般式（Ｃ１）で表される高分子化合物を含む集合体・・・０．２質量％。
・香料：特開２００２−１４６３９９号公報の表１１〜１８に記載の香料組成物Ａ・・・０．１質量％。
【００７２】
＜汚れに対する洗浄力の評価＞
５ｃｍ×５ｃｍに裁断したポリエステルトロピカル布（谷頭商店）にラー油（エスビー食品株式会社製）を０．０２ｍｌずつ滴下し、室温にて一晩風乾したものをシミ汚れ汚垢布とした。
シミ汚れ汚垢布５枚のそれぞれに対し、同じ液体洗浄剤を０．１２ｍＬずつ塗布し、５分間静置した。
次いで、１５℃の水道水９００ｍＬと、洗剤（ライオン株式会社製、商品名トップクリアリキッド）０．６ｇを入れたＴｅｒｇ−Ｏ−Ｔｏｍｅｔｅｒ（ＵＮＩＴＥＤ  ＳＴＡＴＥＳ  ＴＥＳＴＩＮＧ社製）に、シミ汚れ汚垢布５枚を入れ、１２０ｒｐｍで１０分間洗浄した（浴比２０倍）。
その後、洗浄後のシミ汚れ汚垢布５枚を取り出し、該油汚れ汚垢布に対して、２槽式洗濯機（三菱電機株式会社製、ＣＷ−Ｃ３０Ａ１型）で流水すすぎ３分間を行い、次いで脱水１分間を行った後、風乾した。
測色色差計（日本電色社製、商品名ＳＥ２０００） を用い、汚れ付着前の原布（ポリエステルトロピカル布）、及び、洗浄試験前後のシミ汚れ汚垢布についてのＺ値をそれぞれ測定し、下式より洗浄率を算出した。この洗浄率の値が大きいほど、塗布洗浄力が高いことを意味する。
洗浄率（％）＝（洗浄後のシミ汚れ汚垢布のＺ値−洗浄前のシミ汚れ汚垢布のＺ値）／（原布のＺ値−洗浄前のシミ汚れ汚垢布のＺ値）×１００
そして、５枚のシミ汚れ汚垢布について算出した洗浄率の平均値を指標として、下記の評価基準に従い、洗浄力の評価を行った。
≪評価基準≫
◎：洗浄率の平均値が４５％超。
○：洗浄率の平均値が４０％以上４５％未満。
△：洗浄率の平均値が３０％以上４０％未満。
×：洗浄率の平均値が３０％未満。
【００７３】
＜過酸化水素の安定性（発ガス抑制効果）の評価＞
厚さ１２μｍのポリエチレンテレフタレート（ＰＥＴ）、厚さ１５μｍのポリエチレン（ＰＥ）、厚さ７μｍのアルミニウム箔、厚さ３０μｍのＰＥの順で積層した積層フィルムを縦６ｃｍ、横１２ｃｍに切り出し、縦方向に半分に折った。ついで、横方向の２辺を０．５ｃｍ幅でヒートシールして容器とした。容器の開口部から液体組成物を２０ｇ充填した後、開口部を０．５ｃｍ幅でヒートシールして密封した。この状態で５０℃の恒温室中で２ヵ月保存した後、容器の外観を目視で観察し、下記基準により保存安定性を評価した。
≪評価基準≫
○：容器に膨らみが全くない。
△：容器がやや膨らんでいる。  
×：容器が明らかに膨らんでいる。
【００７４】
＜使用性（粘度（ｍＰａ・ｓ））の評価＞
各例の液体洗浄剤の液温を恒温槽で２５℃に調整し測定試料とした。Ｂ型粘度計（株式会社東京計器製、「型式ＢＭ」）を用いて前記測定試料の粘度を測定した（ロータＮｏ．２、回転数６０ｒｐｍ、回転開始から６０秒後の粘度を測定）。
粘度の測定値を下記評価基準により分類し評価した。◎の液体洗浄剤は、塗布洗浄の際に繊維製品に対して非常に塗布しやすいものである。○の液体洗浄剤は、塗布洗浄の際に繊維製品に対して塗布しやすいものである。△の液体洗浄剤は、塗布洗浄の際に繊維製品に対して塗布してやや塗布しやすいものである。×の液体洗浄剤は、塗布洗浄の際に繊維製品に対して塗布して塗布しにくいものである。なお、実施例１では１４５ｍＰａ・ｓ、実施例２では１３０ｍＰａ・ｓ、実施例３では１４５ｍＰａ・ｓ、実施例４では１４７ｍＰａ・ｓであった。
≪評価基準≫
◎：１００ｍＰａ・ｓ超。
○：５０ｍＰａ・ｓ以上１００ｍＰａ・ｓ未満。
△：２５ｍＰａ・ｓ以上５０ｍＰａ・ｓ未満。
×：２５ｍＰａ・ｓ未満。
【００７５】
<外観安定性の評価>
透明のガラス製瓶に、各例の液体洗浄剤１００ｇをそれぞれ充填し、蓋を閉めて密封した。この状態で５０℃の恒温槽に２４時間静置して保存した。
かかる２４時間の保存の後、液の外観を目視で観察し、下記評価基準に従って、液体洗浄剤の保存安定性を評価した。
≪評価基準≫
○：配合直後無色透明で、５０℃保存後も無色透明であった。
△：配合直後無色透明で、保存後析出・濁りが認められた。
×：配合直後から沈殿・分離が認められた。
【００７６】
【表１】
0006681283.tif 000008
【００７７】
【表２】
0006681283.tif 000009
【００７８】
本願発明を適用した実施例１〜９はいずれも汚れに対する洗浄力、過酸化水素の安定性、使用性に優れるものであった。
（Ｂ１）成分をＳＡＳに変更した比較例１は、汚れに対する洗浄力、過酸化水素の安定性、使用性、外観安定性に劣るものであった。
（Ｂ２）成分を含まない比較例２は、過酸化水素の安定性、使用性に劣るものであった。
（Ｂ）成分の含有量が１質量％未満の比較例３は、汚れに対する洗浄力、使用性に劣るものであった。
ｐＨが７超の比較例４は、過酸化水素の安定性、使用性に劣るものであった。
Ｒ１１の炭素数が１４の比較例５は、外観安定性が劣るものであった。
以上の結果から、本発明を適用した液体漂白剤組成物は、汚れに対する洗浄力、過酸化水素の安定性、使用性に優れることが確認できた。